(57)【要約】【課題】撮像範囲、及び撮像対象に対するレンズの焦点が合っているか否かの確認ができる小型の撮像装置を提供する。【解決手段】直方体をなす筐体１の正面に、撮像対象１００からの光を集光する円筒形のレンズモジュールを、筐体１の正面に対して垂直に嵌入する。レンズモジュールを矩形状に囲繞するように、筐体１の正面に、撮像対象１００に撮像範囲を映すための複数の範囲表示ＬＥＤ３、３、・・・、３を取り付ける。該範囲表示ＬＥＤ３、３、・・・、３から光を照射して、撮像対象に矩形の像を映し、該像を撮像範囲の境界とする。撮像対象１００に対するフォーカスレンズの焦点が合っていない場合には、範囲表示ＬＥＤ３、３、・・・、３は赤色で点滅し、撮像対象１００に対するフォーカスレンズの焦点が合っている場合には、範囲表示ＬＥＤ３、３、・・・、３は緑色で連続的に点灯する。【選択図】図４
2010041606.tif 000002
【特許請求の範囲】
【請求項１】
レンズを通過した撮像対象からの光を受光して撮像する撮像装置において、
前記撮像対象に向けて光を照射する発光部と、
前記レンズと前記撮像対象との距離に応じて、前記発光部の発光状態を変更させる変更手段とを備え、
前記発光部から照射された光によって前記撮像対象に撮像範囲を示す像を映すようにしてあること
を特徴とする撮像装置。
【請求項２】
前記レンズを通過した前記撮像対象からの光を受光する受光面を有しており、該受光面にて受光した光に基づいて画像を撮像する撮像素子を備え、
前記受光面の縁上の任意の点と前記レンズの焦点とを通る直線上に、前記発光部を配置してあること
を特徴とする請求項１に記載の撮像装置。
【請求項３】
前記発光部を移動させる移動手段と、
前記撮像対象の画像を記録する記録手段とを備え、
前記移動手段により前記発光部を移動させて、前記撮像対象に示された撮像範囲を拡縮するようにしてあり、
拡縮された撮像範囲内の画像を前記記録手段に記録するようにしてあること
を特徴とする請求項１又は２に記載の撮像装置。
【請求項４】
前記発光状態の変更は、発光色の変更を含むことを特徴とする請求項１から３のいずれか一つに記載の撮像装置。
【請求項５】
前記発光状態の変更は、連続的な発光から点滅した発光への変更及び点滅した発光から連続的な発光への変更を含むことを特徴とする請求項１から４のいずれか一つに記載の撮像装置。
【請求項６】
前記発光部を作動させるためのスイッチを備えることを特徴とする請求項１から５のいずれか一つに記載の撮像装置。
【請求項７】
矩形の開口を有する筐体を備え、
前記移動手段は、前記開口に沿って往復移動する往復移動部を備え、
該往復移動部に前記発光部を設けてあり、
前記往復移動部が往復移動する寸法を制御する寸法制御手段を備え、
前記往復移動部の往復移動によって、撮像範囲を示す前記像が往復移動するようにしてあり、
前記寸法制御手段によって、前記像が往復移動する寸法を変更するようにしてあること
を特徴とする請求項３に記載の撮像装置。
【請求項８】
前記移動手段は、前記往復移動部が往復移動する方向に沿う枢軸と、該枢軸回りに回動する回動部材とを備えており、
前記回動部材に前記発光部を連結してあり、
前記回動部材の前記枢軸周りの位置を制御する位置制御手段を備え、
該位置制御手段によって、前記発光部から照射された光が前記撮像対象に入射する角度を変更するようにしてあること
を特徴とする請求項７に記載の撮像装置。
【請求項９】
撮像範囲を示す前記像は、撮像範囲の境界を示していることを特徴とする請求項１から８のいずれか一つに記載の撮像装置。
【発明の詳細な説明】
【技術分野】
【０００１】
本発明は撮像対象に撮像範囲を映して、撮像範囲内での撮像を行う撮像装置に関する。
【背景技術】
【０００２】
レンズを通過した撮像対象からの光を受光して、画像を示すデジタル信号に変換し撮像を行うデジタルスチルカメラ（以下デジタルカメラという）は、撮像した画像の加工及び保存が容易であることから広く普及している。
【０００３】
一般にデジタルカメラは表示画面を備えており、表示画面に表示された画像を視認して撮像範囲を確認し、また撮像対象に対するレンズの焦点が合っているか否かを確認するようにしてある（例えば特許文献１参照）。また近年においては、ファインダを搭載したデジタルカメラが提案されており、ファインダ越しに撮像対象を視認して撮像範囲を確認すると共に、撮像対象に対するレンズの焦点が合っているか否かを確認するようにしてある。
【特許文献１】特開２００７−７４０７７号公報
【発明の開示】
【発明が解決しようとする課題】
【０００４】
デジタルカメラは人物及び風景を撮像するために使用されることが多い。しかし文書を撮像することも可能であり、最近では、デジタルカメラを常時携帯して文書を撮像し、様々な情報を記録することも行われている。そのためデジタルカメラを小型化して携帯し易くすることが求められている。
【０００５】
表示画面を備えるデジタルカメラを小型にするためには、大型の表示画面を小型化する必要がある。一方で表示画面は、視認によって撮像範囲及び焦点が合っているか否かの確認ができる大きさに設計されなければならない。このため表示画面を備えるデジタルカメラには、表示画面を、視認によって撮像範囲及び焦点が合っているか否かの確認ができる大きさよりも小さく設計することができず、デジタルカメラを小型化して所望の大きさにすることができないという問題がある。
【０００６】
またファインダを搭載したデジタルカメラを小型にするためには、大型のファインダを小型化する必要がある。一方でファインダは、撮像範囲及び焦点が合っているか否かの確認ができるように、目の大きさに対応した大きさに設計されなければならない。このためファインダを搭載したデジタルカメラには、ファインダを目の大きさに対応した大きさよりも小さく設計することができず、デジタルカメラを小型化して所望の大きさにすることができないという問題がある。
【０００７】
本発明は斯かる事情に鑑みてなされたものであり、撮像範囲及び焦点の確認ができる小型の撮像装置を提供することを目的とする。
【課題を解決するための手段】
【０００８】
本発明に係る撮像装置は、レンズを通過した撮像対象からの光を受光して撮像する撮像装置において、前記撮像対象に向けて光を照射する発光部と、前記レンズと前記撮像対象との距離に応じて、前記発光部の発光状態を変更させる変更手段とを備え、前記発光部から照射された光によって前記撮像対象に撮像範囲を示す像を映すようにしてあることを特徴とする。
【０００９】
本発明においては小型の発光部を設けることによって、撮像装置の小型化を図ると共に、発光部から撮像対象に向けて光を照射して、撮像範囲を示す像を撮像対象に映す。またレンズと撮像対象との距離に基づいて、撮像対象に対するレンズの焦点が合っているか否か判断し、レンズの焦点が合っているか否かに応じて発光部の発光状態を変更する。
【００１０】
本発明に係る撮像装置は、前記レンズを通過した前記撮像対象からの光を受光する受光面を有しており、該受光面にて受光した光に基づいて画像を撮像する撮像素子を備え、前記受光面の縁上の任意の点と前記レンズの焦点とを通る直線上に、前記発光部を配置してあることを特徴とする。
【００１１】
本発明においては、前記受光面の縁上の任意の点と前記レンズの焦点とを通る直線上に、前記発光部を配置することにより、撮像素子によって撮像することができる撮像範囲を撮像対象に映す。
【００１２】
本発明に係る撮像装置は、前記発光部を移動させる移動手段と、前記撮像対象の画像を記録する記録手段とを備え、前記移動手段により前記発光部を移動させて、前記撮像対象に示された撮像範囲を拡縮するようにしてあり、拡縮された撮像範囲内の画像を前記記録手段に記録するようにしてあることを特徴とする。
【００１３】
本発明においては、発光部を移動させて撮像対象に示された撮像範囲を拡縮し、拡縮された撮像範囲内の画像を記録する。
【００１４】
本発明に係る撮像装置は、前記発光状態の変更は、発光色の変更を含むことを特徴とする。
【００１５】
本発明においては、例えば撮像対象に対するレンズの焦点が合っているか否かに応じて発光部の発光色を変更して、撮像対象に対するレンズの焦点が合っているか否かをユーザに報知する。
【００１６】
本発明に係る撮像装置は、前記発光状態の変更は、連続的な発光から点滅した発光への変更及び点滅した発光から連続的な発光への変更を含むことを特徴とする。
【００１７】
本発明においては、例えば撮像対象に対するレンズの焦点が合っていない場合に発光部を点滅させ、撮像対象に対するレンズの焦点が合っている場合に発光部を連続的に発光させて、撮像対象に対するレンズの焦点が合っているか否かをユーザに報知する。
【００１８】
本発明に係る撮像装置は、前記発光部を作動させるためのスイッチを備えることを特徴とする。
【００１９】
本発明においては、発光部を作動させるためのスイッチを設けることによって、必要に応じてスイッチをオンにして発光部を作動させる。
【００２０】
本発明に係る撮像装置は、矩形の開口を有する筐体を備え、前記移動手段は、前記開口に沿って往復移動する往復移動部を備え、該往復移動部に前記発光部を設けてあり、前記往復移動部が往復移動する寸法を制御する寸法制御手段を備え、前記往復移動部の往復移動によって、撮像範囲を示す前記像が往復移動するようにしてあり、前記寸法制御手段によって、前記像が往復移動する寸法を変更するようにしてあることを特徴とする。
【００２１】
本発明においては、発光部を往復移動させて、撮像対象に映された像を往復移動させる。該像が往復移動する寸法が、撮像範囲の寸法を示すようにしてあり、発光部が往復移動する寸法を変更して、撮像範囲の寸法を変更する。
【００２２】
本発明に係る撮像装置は、前記移動手段は、前記往復移動部が往復移動する方向に沿う枢軸と、該枢軸回りに回動する回動部材とを備えており、前記回動部材に前記発光部を連結してあり、前記回動部材の前記枢軸周りの位置を制御する位置制御手段を備え、該位置制御手段によって、前記発光部から照射された光が前記撮像対象に入射する角度を変更するようにしてあることを特徴とする。
【００２３】
本発明においては、発光部が往復移動する方向に沿う枢軸を設け、該枢軸回りに回動する回動部材を設けて、該回動部材に発光部を連結する。枢軸を中心として発光部を回動させて、枢軸周りの発光部の位置を変更し、発光部から照射された光が前記撮像対象に入射する角度を変更する。このため撮像対象に映された像は、該像が往復移動する方向と直角な方向に移動し、撮像範囲の寸法が変更される。
【００２４】
本発明に係る撮像装置は、撮像範囲を示す前記像は、撮像範囲の境界を示していることを特徴とする。
【００２５】
本発明においては、撮像範囲を示す像によって撮像範囲の境界を撮像対象に映し、ユーザが前記境界の内側を撮像範囲として認識することができるようにしてある。
【発明の効果】
【００２６】
本発明に係る撮像装置にあっては、小型の発光部を設けることによって、撮像装置の小型化を図ると共に、発光部から撮像対象に向けて光を照射して、所定の撮像範囲を撮像対象に映して撮像範囲を確認することができる。また撮像対象に対するレンズの焦点が合っているか否かに応じて、発光部の発光状態を変更して、焦点が合っているか否かを確認することができる。
【発明を実施するための最良の形態】
【００２７】
（実施の形態１）
以下本発明を実施の形態１に係る撮像装置を示す図面に基づいて詳述する。図１は撮像装置を示す模式的正面図、図２は撮像装置を示す模式的背面図である。
【００２８】
図において１は撮像装置の直方体をなす筐体１であり、該筐体１の正面上部に図示しない孔部が開設してある。該孔部に、撮像対象１００（後述する図４参照）からの光を集光する円筒形のレンズモジュール２が筐体１の正面に対して垂直に嵌入している。該レンズモジュール２を矩形状に囲繞するように、筐体１の正面に、撮像対象１００に撮像範囲を映すための複数の範囲表示ＬＥＤ３、３、・・・、３が取り付けてある。該範囲表示ＬＥＤ３、３、・・・、３は赤色又は緑色に点灯し、また点滅することができるように構成されている。
筐体１の正面には、赤外線を発信する発信部４と、ＣＣＤからなり、撮像対象１００にて反射した赤外線を受信するための受信部５とが取り付けてある。
【００２９】
筐体１の背面に、撮像対象１００に対するレンズモジュール２の焦点が合っているか否かを示す焦点状態表示灯６が設けてある。焦点状態表示灯６は、赤色又は緑色に点灯し、また点滅することができるように構成されている。更に筐体１の背面には、撮像を開始するためのシャッタスイッチ７と、範囲表示ＬＥＤ３、３、・・・、３をオンオフするための撮像範囲表示スイッチ８とが設けてある。また筐体１の側面に画像データを伝送するための伝送コネクタ９が設けてある。
【００３０】
次にレンズモジュール２の構成について詳述する。図３はレンズモジュール２の要部構成を示す模式的断面図である。
レンズモジュール２は円筒形のケーシング２０を備えており、ケーシング２０の一端部に、円形の開口部２０ａがケーシング２０に対して同軸的に設けてある。該開口部２０ａに固定レンズ２１が嵌着している。ケーシング２０の内側において、前記固定レンズ２１を囲繞するリング形の溝２２が、ケーシング２０の一端部に形成してあり、該溝２２に球状の転動体２３が複数係合している。該転動体２３に、前記開口部２０ａの直径と略同寸の内径を有するリング形のロータ２４が、開口部２０ａに対して同軸的に載置してある。またロータ２４の内側にはねじ溝２４ａが形成してある。
【００３１】
ロータ２４の内径と略同寸の内径を有する円筒形のピエゾ素子２５が、ロータ２４に同軸的に設けてある。またピエゾ素子２５の内径と略同寸の内径を有するリング板２６が、ピエゾ素子２５をロータ２４との間で挟持するように、ピエゾ素子２５に同軸的に設けてある。
【００３２】
前記ロータ２４にはレンズユニット２７が設けてある。レンズユニット２７は、円筒形のレンズモールド２７ａと、該レンズモールド２７ａの中央開口に固定してあり、撮像対象１００との焦点を調整するフォーカスレンズ２７ｂとを備えている。レンズモールド２７ａの一端部の外周面にねじ部２７ｃが形成してある。レンズモールド２７ａの他端部をピエゾ素子２５に嵌入し、ねじ部２７ｃをロータ２４の内側にあるねじ溝２４ａに螺合させてある。
【００３３】
レンズモールド２７ａの他端部の外周面に、シート状の第１電極２８ａが設けてあり、該第１電極２８ａに対向するシート状の第２電極２８ｂがピエゾ素子２５の内周面に設けてある。第１電極２８ａと第２電極２８ｂとの対向面積の変化に応じて、第１電極２８ａと第２電極２８ｂとの間の電気容量が変化する。
第１電極２８ａ及び第２電極２８ｂにより、フォーカスレンズ２７ｂの位置を検出するレンズ位置センサ２８が構成されており、レンズ位置センサ２８は第１電極２８ａ及び第２電極２８ｂの間の電気容量に基づいて、フォーカスレンズ２７ｂの光軸に沿う位置を検出するようにしてある。
【００３４】
前記ケーシング２０の他端部の内側面にねじ溝２０ｂが形成してある。該ねじ溝２０ｂには、外周にねじ部２９ａを形成してあり、前記リング板２６の内径と略同寸の内径を有するリング形の蓋体２９が、ねじ部２９ａをねじ溝２０ｂに螺合させて、リング板２６に対して同軸的に固定してある。蓋体２９とリング板２６との間には複数の加圧バネ３０が介在しており、蓋体２９をケーシング２０に螺合して加圧バネ３０を圧縮してある。加圧バネ３０の弾性力によって、ピエゾ素子２５、ロータ２４及び転動体２３が、リング板２６とケーシング２０の底面との間で狭圧されている。
【００３５】
前記ケーシング２０の他端部の前記フォーカスレンズ２７ｂに対向する部分に、固定レンズ２１及びフォーカスレンズ２７ｂを通過した光を受光して、撮像を行う撮像素子３１が設けてある。該撮像素子３１は矩形の受光面３１ａを有している。
【００３６】
次に撮像素子３１の撮像範囲及びＬＥＤの筐体１への取り付け位置について説明する。図４は範囲表示ＬＥＤ３、３、・・・、３が撮像対象１００に撮像範囲を映している状態を示す模式的斜視図、図５は範囲表示ＬＥＤ３、３、・・・、３の筐体１への取り付け位置を示す撮像装置の模式的部分側面断面図、図６は撮像素子３１の受光面３１ａと撮像範囲との関係を説明する説明図である。
【００３７】
前記受光面３１ａは矩形をなしており、図４に示すように、受光面３１ａの四つの角の頂点を順にａ点、ｂ点、ｃ点及びｄ点とする。図５に示すように、撮像素子３１の受光面３１ａと筐体１の正面とは対向している。受光面３１ａの中心Ｏから筐体１の正面側へ向けて、受光面３１ａに対して垂直に、フォーカスレンズ２７ｂの焦点距離ｆだけ離れた地点をＫとする。
Ｋ点及び受光面３１ａの縁上に設定された複数の点を通る複数の直線ｍ、ｍ、・・・、ｍは筐体１の正面と交叉し、筐体１の正面における直線ｍ、ｍ、・・・、ｍが交叉する部分に、範囲表示ＬＥＤ３、３、・・・、３がそれぞれ取り付けてある。範囲表示ＬＥＤ３、３、・・・、３から照射された光が直線ｍ、ｍ、・・・、ｍ上を進行するように、範囲表示ＬＥＤ３、３、・・・、３を筐体１の正面に対して傾斜させてある。
【００３８】
範囲表示ＬＥＤ３、３、・・・、３から照射された光は、直線ｍ、ｍ、・・・、ｍ上を進行し、撮像対象１００に照射される。
直線ｍ、ｍ、・・・、ｍの内、図６に示すように、前記ａ点及びＫ点を通る直線をｍa とし、ｂ点及びＫ点を通る直線をｍb とし、ｃ点及びＫ点を通る直線をｍc とし、ｄ点及びＫ点を通る直線をｍd とする。各直線ｍa、ｍb、ｍc、ｍdと撮像対象１００とは交叉し、撮像対象１００の前記各直線ｍa、ｍb、ｍc、ｍdが交叉する地点をそれぞれＡ点、Ｂ点、Ｃ点及びＤ点とすると、複数の範囲表示ＬＥＤ３、３、・・・、３から照射された光は、ＡＢ間、ＢＣ間、ＣＤ間及びＤＡ間に照射される。照射された光によって、辺ＡＢ、辺ＢＣ、辺ＣＤ及び辺ＤＡが撮像対象に映され、辺ＡＢ、辺ＢＣ、辺ＣＤ及び辺ＤＡにて囲まれた領域Ｓが、撮像素子３１にて撮像することができる最大の撮像範囲となる。
【００３９】
なおａｂ間及びｃｄ間の距離をそれぞれｐとし、ｂｃ間及びｄａ間の距離をそれぞれｑとし、フォーカスレンズ２７ｂと撮像対象１００との距離をＬとし、ＡＢ間及びＣＤ間の距離をＷとし、ＢＣ間及びＤＡ間の距離をＨとすると、距離Ｗ及び距離Ｈはそれぞれ以下の関数にて表される。
【００４０】
【数１】
2010041606.tif 000003
【００４１】
次に撮像装置の制御部５０の構成について説明する。図７は撮像装置の制御部５０の要部構成を示すブロック図である。
撮像装置は、光軸上におけるフォーカスレンズ２７ｂの位置の調整、範囲表示ＬＥＤ３、３、・・・、３の点灯及び消灯等の撮像制御を行う制御部５０を備えている。制御部５０は、撮像制御に係る制御プログラムに基づいて動作するＣＰＵ５０ａ、撮像制御に係る制御プログラムを格納してあるＲＯＭ５０ｂ、作業領域としてのＲＡＭ５０ｃ、前記距離Ｌと、フォーカスレンズ２７ｂのレンズモジュール２内における撮像対象１００に対する焦点が合う位置との関係を示す関数が記録してあるＥＥＰＲＯＭ５０ｄ、撮像素子３１によって光から変換された画像を示す信号に所定の処理を施す画像信号処理回路５０ｅ、入力インタフェース５０ｆ及び出力インタフェース５０ｇを有している。ＣＰＵ５０ａ、ＲＯＭ５０ｂ、ＲＡＭ５０ｃ、ＥＥＰＲＯＭ５０ｄ、画像信号処理回路５０ｅ、入力インタフェース５０ｆ及び出力インタフェース５０ｇは内部バスにより相互に接続されている。
【００４２】
入力インタフェース５０ｆには、撮像範囲表示スイッチ８、シャッタスイッチ７、レンズ位置センサ２８、撮像素子３１及び受信部５が接続されている。また出力インタフェース５０ｇには発信部４、伝送コネクタ９、フォーカスレンズ２７ｂを光軸上にて移動させるためのレンズ駆動回路６０、範囲表示ＬＥＤ３、３、・・・、３を駆動する範囲表示ＬＥＤ駆動回路６１、及び焦点状態表示ＬＥＤを駆動する焦点状態表示ＬＥＤ駆動回路６２が接続されている。
【００４３】
レンズ駆動回路６０にはピエゾ素子２５が接続されており、範囲表示ＬＥＤ駆動回路６１及び焦点状態表示ＬＥＤ駆動回路６２にはそれぞれ範囲表示ＬＥＤ３及び焦点状態表示灯６が接続されている。
【００４４】
次にＣＰＵ５０ａが実行する撮像制御について説明する。図８及び図９は撮像制御の処理手順を示すフローチャートである。
ＣＰＵ５０ａは、撮像範囲表示スイッチ８からオン信号が入力されているか否か判断する（ステップＳ１）。撮像範囲表示スイッチ８からオン信号が入力されていない場合は（ステップＳ１：ＮＯ）、ＣＰＵ５０ａは処理をステップＳ１に戻す。撮像範囲表示スイッチ８からオン信号が入力されている場合には（ステップＳ１：ＹＥＳ）、ＣＰＵ５０ａは、範囲表示ＬＥＤ駆動回路６１に、範囲表示ＬＥＤ３、３、・・・、３を赤色で点滅させることを示す信号を出力し（ステップＳ２）、焦点状態表示ＬＥＤ駆動回路６２に、焦点状態表示ＬＥＤを赤色で点滅させることを示す信号を出力する（ステップＳ３）。このとき撮像対象１００には、撮像素子３１にて撮像することができる最大の範囲の境界が、赤色で点滅した光によって映される。
【００４５】
次にＣＰＵ５０ａは、赤外線を発信することを示す信号を発信部４に出力する（ステップＳ４）。発信部４から発信した赤外線は撮像対象１００にて反射し、受信部５にて受信される。ＣＰＵ５０ａは、赤外線を受信した位置を示す信号を受信部５から取り込む（ステップＳ５）。次にＣＰＵ５０ａは、受信部５から取り込んだ信号に基づいて、赤外線の反射角を算出し、反射角に基づいて、固定レンズ２１と撮像対象１００との距離Ｌを算出し（ステップＳ６）、距離ＬをＥＥＰＲＯＭ５０ｄに記録する。
【００４６】
そしてＣＰＵ５０ａは、ＥＥＰＲＯＭ５０ｄにアクセスして、前記距離Ｌと、フォーカスレンズ２７ｂのレンズモジュール２内における撮像対象１００に対する焦点が合う位置との関係を示す関数を参照し、距離Ｌに対応した、フォーカスレンズ２７ｂのレンズモジュール２内における撮像対象１００に対する焦点が合う位置（以下焦合位置という）を求める（ステップＳ７）。次にＣＰＵ５０ａは、レンズモジュール２内におけるフォーカスレンズ２７ｂの位置を示す信号をレンズ位置センサ２８から取り込む（ステップＳ８）。
【００４７】
そしてＣＰＵ５０ａは、レンズ位置センサ２８から取り込んだ信号に基づいて、フォーカスレンズ２７ｂが焦合位置にあるか否か判断する（ステップＳ９）。フォーカスレンズ２７ｂが焦合位置にない場合には（ステップＳ９：ＮＯ）、ＣＰＵ５０ａはレンズ駆動回路６０に駆動信号を出力する（ステップＳ１０）。該駆動信号により、前記ピエゾ素子２５に電圧が印可されてピエゾ素子２５が伸縮し、前記ロータ２４が回転する。このためロータ２４に螺合してあるレンズモールド２７ａが光軸に沿って移動し、フォーカスレンズ２７ｂが光軸に沿って移動する。そしてＣＰＵ５０ａは、ステップＳ８へ処理を戻す。
【００４８】
フォーカスレンズ２７ｂが焦合位置にある場合には（ステップＳ９：ＹＥＳ）、ＣＰＵ５０ａは範囲表示ＬＥＤ駆動回路６１に、範囲表示ＬＥＤ３、３、・・・、３を緑色で連続的に点灯させることを示す信号を出力し（ステップＳ１１）、焦点状態表示ＬＥＤ駆動回路６２に、緑色で連続的に点灯させることを示す信号を出力する（ステップＳ１２）。このとき撮像対象１００には、撮像素子３１にて撮像することができる最大の範囲の境界が、緑色で連続的な光によって映される。
【００４９】
次にＣＰＵ５０ａは、シャッタスイッチ７からオン信号が入力されているか否か判断する（ステップＳ１３）。シャッタスイッチ７からオン信号が入力されていない場合には（ステップＳ１３：ＮＯ）、ＣＰＵ５０ａはステップＳ１３に処理を戻す。シャッタスイッチ７からオン信号が入力されている場合には（ステップＳ１３：ＹＥＳ）、ＣＰＵ５０ａは撮像素子３１から画像を示す信号を取り込む（ステップＳ１４）。そしてＣＰＵ５０ａは取り込んだ信号をアナログ／デジタル変換して画像データを生成する（ステップＳ１５）。ＣＰＵ５０ａは生成した画像データに対し、画像信号処理回路５０ｅにて、光源の色温度に基づくホワイトバランスの調整及び輝度の階調補正等の必要な処理を行い、画像データを圧縮する（ステップＳ１６）。そしてＣＰＵ５０ａは圧縮した画像データをＥＥＰＲＯＭ５０ｄに記憶する（ステップＳ１７）。
【００５０】
実施の形態１に係る撮像装置にあっては、小型の範囲表示ＬＥＤ３、３、・・・、３を設けることによって、撮像装置の小型化を図ることができ、また範囲表示ＬＥＤ３、３、・・・、３から撮像対象１００に向けて光を照射して撮像範囲の境界を撮像対象１００に映すので、ユーザは撮像範囲を確認することができる。また撮像対象１００に対するフォーカスレンズ２７ｂの焦点が合っているか否かに応じて、範囲表示ＬＥＤ３、３、・・・、３及び焦点状態表示灯６の発光状態を変更させるので、焦点があっているか否かをユーザは確認することができる。
【００５１】
また実施の形態１に係る撮像装置にあっては、筐体１の正面において、Ｋ点及び受光面３１ａの縁を通る複数の直線が交叉する部分に、範囲表示ＬＥＤ３、３、・・・、３をそれぞれ位置させることによって、範囲表示ＬＥＤ３、３、・・・、３は、撮像素子３１によって撮像することができる最大の撮像範囲の境界を、撮像対象１００に映すので、ユーザは、撮像対象１００を撮像範囲に収めて確実に撮像することができる。またフォーカスレンズ２７ｂと撮像対象１００との距離の遠近に応じて前記最大の撮像範囲が大小となるので、フォーカスレンズ２７ｂと撮像対象１００との距離を変更した場合でも、ユーザは最大の撮像範囲を確認することができる。
【００５２】
また実施の形態１に係る撮像装置にあっては、撮像対象１００に対するフォーカスレンズ２７ｂの焦点が合っているか否かに応じて範囲表示ＬＥＤ３、３、・・・、３及び焦点状態表示灯６の発光色を変更しており、また撮像対象１００に対するフォーカスレンズ２７ｂの焦点が合っていない場合に、範囲表示ＬＥＤ３、３、・・・、３及び焦点状態表示灯６を点滅させ、撮像対象１００に対するフォーカスレンズ２７ｂの焦点が合っている場合に範囲表示ＬＥＤ３、３、・・・、３及び焦点状態表示灯６を連続的に点灯させている。これにより撮像対象１００に対するフォーカスレンズ２７ｂの焦点が合っている場合にユーザが撮像を行うことができる。
【００５３】
また実施の形態１に係る撮像装置にあっては、範囲表示ＬＥＤ３、３、・・・、３を作動させるための撮像範囲表示スイッチ８を設けることによって、必要に応じて撮像範囲表示スイッチ８をオンにして範囲表示ＬＥＤ３、３、・・・、３を作動させて、電力消費を抑制することができる。
【００５４】
なおステップＳ１６において、画像信号処理回路５０ｅにて実行される処理は、ＣＰＵ５０ａにて実行されても良い。また実施の形態１においては、範囲表示ＬＥＤ３を筐体１に取り付けてあるが、範囲表示ＬＥＤ３は直線ｍ上に位置していれば良く、範囲表示ＬＥＤ３を筐体１の内側に配設しても良い。また実施の形態１に係る撮像装置にあっては、赤外線を使用して撮像対象１００とフォーカスレンズ２７ｂとの距離を測定しているが、音波を使用しても良く、またコントラスト検出方式、及び位相差検出方式にて撮像対象１００とフォーカスレンズ２７ｂとの距離を測定しても良い。
【００５５】
また実施の形態１に係る撮像装置はデジタルスチルカメラであるが、デジタルビデオカメラに範囲表示ＬＥＤ３、３、・・・、３を搭載しても良い。また伝送コネクタ９に外部記憶装置、例えばＵＳＢメモリを接続した場合には、ＥＥＰＲＯＭ５０ｄに記録してある画像データをＵＳＢメモリに記録することができる。
【００５６】
次に実施の形態１に係る撮像装置の変形例１について説明する。図１０は実施の形態１に係る撮像装置の変形例１を示す模式的正面図、図１１は変形例１の撮像素子３１の受光面３１ａと撮像範囲との関係を説明する説明図である。図１０に示すように、筐体１の正面に複数の範囲表示ＬＥＤ３、３、・・・、３がＬ状に取り付けてある。Ｌ状に取り付けてある範囲表示ＬＥＤ群は、筐体１の正面に、矩形の角を示すように四つ配置してある。範囲表示ＬＥＤ３、３、・・・、３から照射された光によって、図１１に示すように、撮像対象１００に、四つのＬ形が映される。四つのＬ形を角とする矩形の内側が撮像範囲（領域Ｓ）となる。
【００５７】
次に実施の形態１に係る撮像装置の変形例２について説明する。図１２は実施の形態１に係る撮像装置の変形例２を示す模式的正面図、図１３は変形例２の撮像素子３１の受光面３１ａと撮像範囲との関係を説明する説明図である。図１２に示すように、筐体１の正面に、四つの範囲表示ＬＥＤ３、３、３、３が取り付けてある。範囲表示ＬＥＤ３、３、３、３から照射された光は、図１３に示すように、撮像対象１００に四点を映す。写された四点を線分で結んでなる矩形の内側が撮像範囲（領域Ｓ）となる。
【００５８】
なお範囲表示ＬＥＤ３、３、３、３から照射された光の進行方向に沿う直線と受光面３１ａとがなす角度は以下のようにして求まる。図１４は範囲表示ＬＥＤ３、３、３、３から照射された光の進行方向に沿う直線と受光面３１ａとがなす角度を説明する説明図である。
図１４に示すように、前記Ｏ点及びＫ点を通る直線と、Ｋ点及び受光面３１ａの頂点（ａ点乃至ｄ点）を通る直線とのなす角度をθとし、前記Ｏ点及びｂ点を通る直線と、ａ点及びｂ点を通る直線に平行な直線であってＯ点を通る直線とのなす角度をφとすると、θ及びφは以下の関数にて示される。
【００５９】
【数２】
2010041606.tif 000004
【００６０】
前記範囲表示ＬＥＤ３、３、３、３から照射された光の進路がＫ点及び受光面３１ａの頂点を通る直線上にあり、前記範囲表示ＬＥＤ３、３、３、３から照射された光の進路又はその延長線と、受光面３１ａとのなす角度が、前記θ及びφに一致するように、範囲表示ＬＥＤ３、３、３、３を筐体１に取り付けてある。
【００６１】
（実施の形態２）
以下本発明を実施の形態２に係る撮像装置を示す図面に基づいて詳述する。図１５は実施の形態２に係る撮像装置を示す模式的正面図、図１６はプリズムを示す模式的斜視図、図１７は撮像範囲を説明する説明図である。
撮像装置はプリズム７０と四つのＬＥＤ格納部７１、７１、・・・、７１とを備えている。プリズム７０は矩形をなす枠状の出光部７０ａと、該出光部７０ａの各側部に連なっており、ＬＥＤ格納部７１及び出光部７０ａを連結する四つの連結部７０ｂ、７０ｂ、・・・、７０ｂとを備えている。前記連結部７０ｂ、７０ｂ、・・・、７０ｂに四つのＬＥＤ格納部７１、７１、・・・、７１がそれぞれ取り付けてあり、ＬＥＤ格納部７１に図示しないＬＥＤがそれぞれ格納してある。ＬＥＤ格納部７１から出射された光は、連結部７０ｂ内にて反射し、出光部７０ａから直線的に照射される。
【００６２】
図１５に示すように、前記プリズム７０は、露出した出光部７０ａがレンズモジュール２を囲繞するように、筐体１の正面に取り付けてある。また出光部７０ａは、筐体１の正面に対して傾斜しており、出光部７０ａから照射された光が、前述したＫ点及び受光面３１ａの縁上の点を通る直線上を進行するようにしてある。
【００６３】
図１７に示すように、出光部７０ａから照射された光によって、撮像対象１００に矩形が映され、該矩形の内側が撮像範囲（領域Ｓ）となる。
なお実施の形態２に係る撮像装置は、四つの連結部７０ｂ、７０ｂ、・・・、７０ｂに四つのＬＥＤ格納部７１、７１、・・・、７１をそれぞれ設けているが、四つの連結部７０ｂ、７０ｂ、・・・、７０ｂの一部又は全部を連ねて、一つ乃至三つのＬＥＤ格納部７１を連結部７０ｂに設けても良い。
実施の形態２に係る撮像装置は、範囲表示ＬＥＤ３、３、・・・、３を除けば、実施の形態１と同様な構成を備えており、対応する部分に同一の参照符号を付してその説明を省略する。
【００６４】
次に実施の形態２に係る撮像装置の変形例について説明する。図１８は実施の形態２に係る撮像装置の変形例を示す模式的正面図、図１９は変形例のプリズムを示す模式的斜視図、図２０は変形例の撮像範囲を説明する説明図である。
撮像装置は四つのプリズム７２、７２、・・・、７２及び四つのＬＥＤ格納部７３、７３、・・・、７３を備えている。プリズム７２はＬ形の出光部７２ａと、該出光部７２ａに連なっており、ＬＥＤ格納部７３及び出光部７２ａを連結する連結部７２ｂとを備えている。前記連結部７２ｂにＬＥＤ格納部７３が取り付けてあり、ＬＥＤ格納部７３に図示しないＬＥＤが格納してある。ＬＥＤ格納部７３から出射された光は、連結部７２ｂ内にて反射し、出光部７２ａから直線的に照射される。
【００６５】
図１８に示すように、四つのプリズム７２、７２、・・・、７２は、露出した出光部７２ａがレンズモジュール２を囲繞するように、筐体１の正面に取り付けてある。撮像装置を正面から見た場合に、矩形の角部を示すように四つのプリズム７２、７２、・・・、７２が筐体１の正面に配置してある。また出光部７２ａは、筐体１の正面に対して傾斜しており、出光部７２ａから照射された光が、前述したＫ点及び受光面３１ａの縁を通る直線上を進行するようにしてある。
【００６６】
図２０に示すように、出光部７２ａから照射された光によって、撮像対象１００に矩形の角部分が映され、該矩形の内側が撮像範囲（領域Ｓ）となる。
【００６７】
（実施の形態３）
以下本発明を実施の形態３に係る撮像装置を示す図面に基づいて詳述する。図２１は実施の形態３に係る撮像装置を示す模式的斜視図である。
撮像装置の筐体１の正面には、レンズモジュール２を囲繞するように、矩形の枠形開口１ａが設けてある。該枠形開口１ａの四辺に、四つの範囲表示ＬＥＤ１３、１３、・・・、１３がそれぞれ配設してある。また筐体１の背面に、撮像範囲の横幅を指定するための横幅指定スイッチ１１及び撮像範囲の縦幅を指定するための縦幅指定スイッチ１２が設けてある。
【００６８】
図２２はＬＥＤ駆動部の略示部分拡大側面断面図、図２３はＬＥＤ駆動部を示す模式的平面図である。
筐体１の内部に、範囲表示ＬＥＤ１３、１３、・・・、１３を駆動する四つのＬＥＤ駆動部１５、１５、・・・、１５が、枠形開口１ａの四辺にそれぞれ対向させて設けてある。ＬＥＤ駆動部１５は、矩形状をなす細長い筺形のケーシング１５ａを備えており、ケーシング１５ａは、枠形開口１ａに沿って配置されている。ケーシング１５ａには、雄ねじ体１５ｂが収容してある。前記ケーシング１５ａには、モータＭ１が取り付けてあり、該モータＭ１の回転軸が雄ねじ体１５ｂに連結してある。また雄ねじ体１５ｂには、ナット部１５ｃが螺合してあり、雄ねじ体１５ｂ及びナット部１５ｃの溝には図示しない複数のボールが転動可能に嵌合している。ナット部１５ｃには、回動部１４が設けてあり、該回動部１４に範囲表示ＬＥＤ１３が取り付けてある。
【００６９】
前記モータの正逆回転により雄ねじ体１５ｂが正逆回転し、範囲表示ＬＥＤ１３は、図２１の矢印にて示すように、ケーシング１５ａに沿って往復移動する。前記ナット部１５ｃにポテンショメータからなるＬＥＤ位置センサ１６が設けてあり、範囲表示ＬＥＤ１３の枠形開口１ａに沿った位置を検出するようにしてある。
【００７０】
図２４は回動部１４の要部構成を示す模式的側面断面図である。回動部１４はハウジング１４ａを備えており、該ハウジング１４ａには矩形のスリット１４ｂが設けてある。連結棒１４ｃがハウジング１４ａの内側に設けてあり、前記スリット１４ｂに、連結棒１４ｃの一端部が対向している。連結棒１４ｃは、枢軸１４ｄに取り付けてある。該枢軸１４ｄにはポテンショメータからなる角度センサ１４ｅが取り付けてある。前記連結棒１４ｃの一端部の先端に前記範囲表示ＬＥＤ１３が取り付けてあり、範囲表示ＬＥＤ１３はスリット１４ｂから延出している。連結棒１４ｃの他端部の側面に、連結棒１４ｃに直角な杆状の従動節１４ｆが固定してある。またハウジング１４ａの内側に、略円形の板カムである原動節１４ｇが取り付けてある。原動節１４ｇの中央部には、モータＭ２が連結してあり、モータＭ２の回転により原動節１４ｇが回転する。
【００７１】
前記連結棒１４ｃの一端部の側面とハウジング１４ａとは、弾性部材１４ｈを介して連結してある。弾性部材１４ｈの弾性力によって原動節１４ｇの周面と従動節１４ｆの先端とが圧接されている。前記従動節１４ｆの回転及び弾性部材１４ｈの弾性力により、従動節１４ｆが押し引きされて、連結棒１４ｃが枢軸１４ｄを支点として回動し、範囲表示ＬＥＤ１３がスリット１４ｂに沿って回動する。なお回動部１４は、前記枠形開口１ａに対してスリット１４ｂが直角になるように、前記ナット部１５ｃに設けてある。
【００７２】
図２５は撮像装置の制御部５０周りの構成を示すブロック図である。
制御部５０のＥＥＰＲＯＭ５０ｄには、距離Ｌ、フォーカスレンズ２７ｂの焦点距離ｆ、撮像素子３１のａｂ間及びｃｄ間の距離ｐ、ｂｃ間及びｄａ間の距離ｐ、数１にて示した関数、及び後述する数３にて示した関数が記録されている。
また入力インタフェース５０ｆに、横幅指定スイッチ１１、縦幅指定スイッチ１２、角度センサ１４ｅ及びＬＥＤ位置センサ１６が接続してあり、出力インタフェース５０ｇに、範囲表示ＬＥＤ１３、１３、・・・、１３を枠形開口１ａに沿って移動させるためのＬＥＤスライド駆動回路６３、範囲表示ＬＥＤ１３、１３、・・・、１３を回動させるためのＬＥＤ回動駆動回路６４が接続してある。ＬＥＤスライド駆動回路６３にモータＭ１が接続してあり、ＬＥＤ回動駆動回路６４にはモータＭ２が接続してある。
【００７３】
次に撮像範囲の横幅及び縦幅の指定動作について説明する。図２６は撮像範囲の横幅及び縦幅の指定動作を説明する説明図である。
撮像範囲表示スイッチ８がオンになった場合には、ＣＰＵ５０ａは、ＬＥＤスライド駆動回路６３に駆動信号を出力し、モータＭ１を回転させて、範囲表示ＬＥＤ１３、１３、・・・、１３を枠形開口１ａに沿って往復移動させる。このとき範囲表示ＬＥＤ１３、１３、・・・、１３によって最大の撮像範囲（領域Ｓ）が撮像対象１００に映される（図２６（ａ）参照）。
【００７４】
横幅指定スイッチ１１から撮像範囲の左右幅を小さくすることを示す信号が制御部５０に入力された場合に、ＣＰＵ５０ａは、ＬＥＤ回動駆動回路６４に駆動信号を出力し、左右に取り付けてある範囲表示ＬＥＤ１３、１３を内向きに回動させて、枢軸１４ｄ周りの範囲表示ＬＥＤ１３、１３の位置を変更する。このとき、範囲表示ＬＥＤ１３から照射された光の撮像対象に対する入射角度は変更され、撮像範囲の左右幅は、撮像範囲が縦方向の中心線に対して左右対称となるように狭くなる。またＬＥＤスライド駆動回路６３に駆動を制限することを示す信号を出力し、上下に取り付けてある範囲表示ＬＥＤ１３、１３が往復移動する幅を狭くして、撮像範囲の上辺及び下辺の長さと撮像範囲の左右幅とを一致させる（図２６（ｂ）参照、図２６（ｂ）において撮像範囲をＳ′１として表記してある）。
この状態で縦幅指定スイッチ１２から撮像範囲の縦幅を小さくすることを示す信号が制御部５０に入力された場合に、ＣＰＵ５０ａは、ＬＥＤ回動駆動回路６４に駆動信号を出力し、上下に取り付けてある範囲表示ＬＥＤ１３、１３を内向きに回動させて、枢軸１４ｄ周りの範囲表示ＬＥＤ１３、１３の位置を変更する。このとき、範囲表示ＬＥＤ１３、１３から照射された光の撮像対象に対する入射角度は変更され、撮像範囲の縦幅は、撮像範囲が横方向の中心線に対して上下対称となるように狭くなる。またＬＥＤスライド駆動回路６３に駆動を制限することを示す信号を出力し、左右に取り付けてある範囲表示ＬＥＤ１３、１３が往復移動する幅を狭くして、撮像範囲の左辺及び右辺の長さと撮像範囲の縦幅とを一致させる（図２６（ｄ）参照、図２６（ｄ）において撮像範囲をＳ′３として表記してある）。
【００７５】
また範囲表示ＬＥＤ１３、１３、・・・、１３によって最大の撮像範囲が撮像対象１００に映されている場合であって、縦幅指定スイッチ１２から撮像範囲の縦幅を小さくすることを示す信号が制御部５０に入力されたときに、ＣＰＵ５０ａは、ＬＥＤ回動駆動回路６４に駆動信号を出力し、上下に取り付けてある範囲表示ＬＥＤ１３、１３を内向きに回動させて、枢軸１４ｄ周りの範囲表示ＬＥＤ１３、１３の位置を変更する。このとき範囲表示ＬＥＤ１３、１３から照射された光の撮像対象に対する入射角度は変更され、撮像範囲の縦幅は、撮像範囲が横方向の中心線に対して上下対称となるように狭くなる。またＬＥＤスライド駆動回路６３に駆動を制限することを示す信号を出力し、左右に取り付けてある範囲表示ＬＥＤ１３、１３が往復移動する幅を狭くして、撮像範囲の左辺及び右辺の長さと撮像範囲の縦幅とを一致させる（図２６（ｃ）参照、図２６（ｃ）において撮像範囲をＳ′２として表記してある）。
【００７６】
この状態で、横幅指定スイッチ１１から撮像範囲の左右幅を小さくすることを示す信号が制御部５０に入力された場合に、ＣＰＵ５０ａは、ＬＥＤ回動駆動回路６４に駆動信号を出力し、左右に取り付けてある範囲表示ＬＥＤ１３、１３を内向きに回動させて、枢軸１４ｄ周りの範囲表示ＬＥＤ１３、１３の位置を変更する。このとき範囲表示ＬＥＤ１３、１３から照射された光の撮像対象に対する入射角度は変更され、撮像範囲の左右幅は、撮像範囲が縦方向の中心線に対して左右対称となるように狭くなる。またＬＥＤスライド駆動回路６３に駆動を制限することを示す信号を出力し、上下に取り付けてある範囲表示ＬＥＤ１３、１３が往復移動する幅を狭くして、撮像範囲の上辺及び下辺の長さと撮像範囲の左右幅とを一致させる（図２６（ｄ）参照）。
【００７７】
なお横幅指定スイッチ１１から撮像範囲の左右幅を大きくすることを示す信号が制御部５０に入力された場合及び縦幅指定スイッチ１２から撮像範囲の縦幅を大きくすることを示す信号が制御部５０に入力された場合には、ＬＥＤ回動駆動回路６４に駆動信号を出力して範囲表示ＬＥＤ１３、１３、・・・、１３を外向きに回動させ、枢軸１４ｄ周りの範囲表示ＬＥＤ１３、１３の位置を変更し、範囲表示ＬＥＤ１３、１３、・・・、１３から照射された光の撮像対象に対する入射角度を変更させる。そしてＬＥＤスライド駆動回路６３に駆動信号を出力して範囲表示ＬＥＤ１３、１３、・・・、１３が往復移動する幅を調整して、撮像範囲の横幅及び縦幅を広くする。
【００７８】
次に制御部５０のＣＰＵ５０ａによる画像抽出処理について説明する。
ＣＰＵ５０ａは、撮像素子３１から取り込んだ信号に基づいて画像データを生成した場合であって、横幅指定スイッチ１１から撮像範囲の横幅を指定することを示す信号が入力されるか又は縦幅指定スイッチ１２から撮像範囲の縦幅を指定することを示す信号が入力されているときに、生成した画像データから、指定された撮像範囲内の画像を示す画像データを抽出する画像抽出処理を行う。
【００７９】
以下画像データの抽出について説明する。図２７は画像抽出処理を説明するための撮像範囲の座標を示す模式図である。図中、生成した画像データが示す画像の左上の点を原点Ｏ′（０、０）として、前記画像の左右方向の軸をＸ軸とし、前記画像の上下方向の軸をＹ軸としてある。なお前記画像の横幅をＷとし、前記画像の横幅をＨとしてある。
【００８０】
また指定された撮像範囲の左上の座標を（ｘ１、ｙ１）とし、指定された撮像範囲の右下の座標を（ｘ２、ｙ２）としてある。また指定された撮像範囲の横幅をｗとし、指定された撮像範囲の縦幅をｈとしてある。前記条件下においては、座標（ｘ１、ｙ１）及び座標（ｘ２、ｙ２）は以下の関数にて求められる。
【００８１】
【数３】
2010041606.tif 000005
【００８２】
ＣＰＵ５０ａは上記関数によって座標（ｘ１、ｙ１）及び座標（ｘ２、ｙ２）を求め、ｘ１≦ｘ≦ｘ２、ｙ１≦ｙ≦ｙ２の範囲内の画像データを抽出する。
【００８３】
次に制御部５０のＣＰＵ５０ａが、指定された領域の画像データを記録する指定領域記録処理について説明する。図２８はＣＰＵ５０ａによる指定領域記録処理を示すフローチャートである。なおＣＰＵ５０ａは、前記ステップＳ１〜ステップＳ１５にかかる処理を行い、撮像素子３１によって撮像することができる最大の範囲で、撮像対象１００を撮像し、画像データを生成しているものとする。
【００８４】
画像データを生成したＣＰＵ５０ａは、角度センサ１４ｅから範囲表示ＬＥＤ１３、１３、・・・、１３の角度検出値を示す信号を取り込む（ステップＳ２１）。このとき前記角度検出値がＥＥＰＲＯＭ５０ｄに記録される。ＣＰＵ５０ａは、前記角度検出値が、最大の撮像範囲が撮像対象１００に映されていることを示す角度であるか否か判断する（ステップＳ２２）。取り込んだ角度が、最大の撮像範囲が撮像対象１００に映されていることを示す角度である場合に（ステップＳ２２：ＹＥＳ）、ＣＰＵ５０ａは、処理をステップＳ２９に進めて、生成した画像データに対して、前記ステップＳ１６と同様な処理及び圧縮を行う（ステップＳ２９）。
【００８５】
取り込んだ角度が、範囲表示ＬＥＤ１３、１３、・・・、１３によって最大の撮像範囲が撮像対象１００に映されていることを示す角度でない場合に（ステップＳ２２：ＮＯ）、ＣＰＵ５０ａは、ＥＥＰＲＯＭ５０ｄにアクセスして、距離Ｌ及び範囲表示ＬＥＤ１３、１３、・・・、１３の角度を示す情報を取得する（ステップＳ２３）。次にＣＰＵ５０ａは、距離Ｌ及び範囲表示ＬＥＤ１３、１３、・・・、１３の角度に基づいて、指定された撮像範囲の横幅ｗ及び縦幅ｈを算出する（ステップＳ２４）。そしてＣＰＵ５０ａは、ＥＥＰＲＯＭ５０ｄにアクセスして、焦点距離ｆ、距離ｐ、距離ｑ及び数１にて示した関数を参照する（ステップＳ２５）。次にＣＰＵ５０ａは、距離Ｌ、焦点距離ｆ、距離ｐ、距離ｑ及び数１にて示した関数に基づいて、撮像範囲の最大の横幅であるＷ及び撮像範囲の最大の縦幅であるＨを算出する（ステップＳ２６）。そしてＣＰＵ５０ａは、ＥＥＰＲＯＭ５０ｄにアクセスして数３にて示した関数を取得し、該関数に基づいて、前述した画像抽出処理を行い、座標（ｘ１、ｙ１）及び座標（ｘ２、ｙ２）を求める（ステップＳ２７）。そしてｘ１≦ｘ≦ｘ２、ｙ１≦ｙ≦ｙ２の範囲内の画像データを抽出する（ステップＳ２８）。次にＣＰＵ５０ａは、抽出した画像データに対して前記ステップＳ１６と同様な処理及び圧縮を行う（ステップＳ２９）。そしてＣＰＵ５０ａは、圧縮した画像データをＥＥＰＲＯＭ５０ｄに記憶する（ステップＳ３０）。
【００８６】
実施の形態３に係る撮像装置にあっては、範囲表示ＬＥＤ１３、１３、・・・、１３を移動させて撮像範囲を撮像対象１００に映し、映された撮像範囲内の画像をＥＥＰＲＯＭ５０ｄに記録して、必要な画像のみを記録することができる。
【００８７】
また実施の形態３に係る撮像装置にあっては、範囲表示ＬＥＤ１３、１３、・・・、１３を往復移動させて、撮像対象に映された像を往復移動させる。該像が往復する寸法が撮像範囲の寸法を示すようにしてあり、範囲表示ＬＥＤ１３、１３、・・・、１３が往復する寸法を変更して、撮像範囲の寸法を変更する。
【００８８】
また実施の形態３に係る撮像装置にあっては、枢軸１４ｄを中心として、範囲表示ＬＥＤ１３、１３、・・・、１３を回動させて、枢軸１４ｄ周りの範囲表示ＬＥＤ１３、１３、・・・、１３の位置を変更し、撮像対象に対する光の入射角度を変更させる。このとき撮像対象に映された像は、該像が往復移動する方向と直角な方向に移動するので、範囲表示ＬＥＤ１３、１３、・・・、１３の回動によって、前記像が往復移動する方向と直角な方向における撮像範囲の寸法を変更することができる。
【００８９】
なおモータＭ１、モータＭ２に超小型モータを使用することによって、撮像装置の小型化をより一層図ることができる。また実施の形態３に係る撮像装置は、枠形開口１ａに対向させて四つの範囲表示ＬＥＤ１３、１３、・・・、１３を配置しているが、筐体の正面に、四つのスリットを矩形状に配置し、該スリットに対向させて四つの範囲表示ＬＥＤ１３、１３、・・・、１３をそれぞれ配置してもよい。
【００９０】
実施の形態３に係る撮像装置の構成の内、実施の形態１又は２と同様な構成については、同じ符号を付し、その詳細な説明を省略する。
【図面の簡単な説明】
【００９１】
【図１】実施の形態１に係る撮像装置を示す模式的正面図である。
【図２】実施の形態１に係る撮像装置を示す模式的背面図である。
【図３】実施の形態１に係る撮像装置のレンズモジュールの要部構成を示す模式的断面図である。
【図４】実施の形態１に係る撮像装置の範囲表示ＬＥＤが撮像対象に撮像範囲を映している状態を示す模式的斜視図である。
【図５】実施の形態１に係る撮像装置の範囲表示ＬＥＤの筐体への取り付け位置を示す撮像装置の模式的部分側面断面図である。
【図６】実施の形態１に係る撮像装置の撮像素子の受光面と撮像範囲との関係を説明する説明図である。
【図７】実施の形態１に係る撮像装置の制御部の要部構成を示すブロック図である。
【図８】実施の形態１に係る撮像制御の処理手順を示すフローチャートである。
【図９】実施の形態１に係る撮像制御の処理手順を示すフローチャートである。
【図１０】実施の形態１に係る撮像装置の変形例１を示す模式的正面図である。
【図１１】変形例１の撮像素子の受光面と撮像範囲との関係を説明する説明図である。
【図１２】実施の形態１に係る撮像装置の変形例２を示す模式的正面図である。
【図１３】変形例２の撮像素子の受光面と撮像範囲との関係を説明する説明図である。
【図１４】変形例２の範囲表示ＬＥＤから照射された光の進行方向に沿う直線と受光面とがなす角度を説明する説明図である。
【図１５】実施の形態２に係る撮像装置を示す模式的正面図である。
【図１６】実施の形態２に係る撮像装置のプリズムを示す模式的斜視図である。
【図１７】実施の形態２に係る撮像装置の撮像範囲を説明する説明図である。
【図１８】実施の形態２に係る撮像装置の変形例を示す模式的正面図である。
【図１９】実施の形態２に係る撮像装置の変形例のプリズムを示す模式的斜視図である。
【図２０】実施の形態２に係る撮像装置の変形例の撮像範囲を説明する説明図である。
【図２１】実施の形態３に係る撮像装置を示す模式的斜視図である。
【図２２】実施の形態３に係る撮像装置のＬＥＤ駆動部の略示部分拡大側面断面図である。
【図２３】実施の形態３に係る撮像装置のＬＥＤ駆動部を示す模式的平面図である。
【図２４】実施の形態３に係る撮像装置の回動部の要部構成を示す模式的側面断面図である。
【図２５】実施の形態３に係る撮像装置の制御部周りの構成を示すブロック図である。
【図２６】実施の形態３に係る撮像範囲の横幅及び縦幅の指定動作を説明する説明図である。
【図２７】画像抽出処理を説明するための撮像範囲の座標を示す模式図である。
【図２８】ＣＰＵによる指定領域記録処理を示すフローチャートである。
【符号の説明】
【００９２】
１  筐体
２  レンズモジュール
３、１３  範囲表示ＬＥＤ（発光部）
３１  撮像素子
８  撮像範囲表示スイッチ（作動スイッチ）
１４  回動部
１４ｃ  連結棒（回動部材）
１４ｄ  枢軸
１５  ＬＥＤ駆動部（移動手段）
２１  固定レンズ
２７ｂ  フォーカスレンズ（レンズ）
５０  制御部
５０ｄ  ＥＥＰＲＯＭ（記録手段）
７０、７２  プリズム
７１、７３  ＬＥＤ格納部（発光部）
１００  撮像対象
【図１】
2010041606.tif 000006
【図２】
2010041606.tif 000007
【図３】
2010041606.tif 000008
【図４】
2010041606.tif 000009
【図５】
2010041606.tif 000010
【図６】
2010041606.tif 000011
【図７】
2010041606.tif 000012
【図８】
2010041606.tif 000013
【図９】
2010041606.tif 000014
【図１０】
2010041606.tif 000015
【図１１】
2010041606.tif 000016
【図１２】
2010041606.tif 000017
【図１３】
2010041606.tif 000018
【図１４】
2010041606.tif 000019
【図１５】
2010041606.tif 000020
【図１６】
2010041606.tif 000021
【図１７】
2010041606.tif 000022
【図１８】
2010041606.tif 000023
【図１９】
2010041606.tif 000024
【図２０】
2010041606.tif 000025
【図２１】
2010041606.tif 000026
【図２２】
2010041606.tif 000027
【図２３】
2010041606.tif 000028
【図２４】
2010041606.tif 000029
【図２５】
2010041606.tif 000030
【図２６】
2010041606.tif 000031
【図２７】
2010041606.tif 000032
【図２８】
2010041606.tif 000033